(57)【特許請求の範囲】
【請求項１】
海水が収容される可撓性の収容袋及び該収容袋に海水を送給するポンプを海中に沈め、該ポンプによって上記収容袋内に海水を送給して収容し、その後、上記収容袋を引き上げ、該収容袋内の海水を取り出すことを特徴とする深層海水の取水方法。
【請求項２】
海中に沈められて入口から海水が収容される可撓性の収容袋と、該収容袋の入口から該収容袋内に海水を送給するポンプと、海上にある船等の浮揚施設から上記収容袋及びポンプを係留し該収容袋及びポンプを引き上げるための索体とを備えたことを特徴とする深層海水の取水装置。
【請求項３】
上記収容袋とポンプとを脱着可能にしたことを特徴とする請求項２記載の深層海水の取水装置。
【請求項４】
上記収容袋に内部の海水を取り出すための開閉可能な出口部を設けたことを特徴とする請求項２または３記載の深層海水の取水装置。
【発明の詳細な説明】
【０００１】
【発明の属する技術分野】
本発明は、海洋の深層海水を取水する深層海水の取水方法及び深層海水の取水装置に関する。
【０００２】
【従来の技術】
近年、一般に「海洋深層水」と言われる海洋の深層海水を例えば飲料水等に利用する技術が注目を集めている。この海水は、海洋の例えば２００ｍ以下の深層から取水している。
従来、この深層海水を取水する方法としては、例えば、海上において船等の浮揚施設から海中にパイプラインを沈め、浮揚施設に搭載したポンプを駆動してパイプラインの先端から海水を吸引して浮揚施設で回収するようにしている（例えば、特開昭６２−２０３８９４号公報掲載）。
【０００３】
【発明が解決しようとする課題】
ところで、このような従来の深層海水の取水方法にあっては、海中に沈めるパイプラインの長さが長く、深層での耐圧を確保しなければならないし、ポンプの海水の吸引能力も高いものでなければならないので、装置が大型化するとともに高価なものになり、汎用性に劣るという問題があった。
本発明は上記の問題点に鑑みて為されたもので、装置を大型にすることなく簡易な構造にして容易に取水できるようにし、汎用性の向上を図った深層海水の取水方法及び深層海水の取水装置を提供することを目的とする。
【０００４】
【課題を解決するための手段】
このような目的を達成するための本発明の深層海水の取水方法は、海水が収容される可撓性の収容袋及び該収容袋に海水を送給するポンプを海中に沈め、該ポンプによって上記収容袋内に海水を送給して収容し、その後、上記収容袋を引き上げ、該収容袋内の海水を取り出す構成としている。
また、このような目的を達成するための本発明の深層海水の取水装置は、海中に沈められて入口から海水が収容される可撓性の収容袋と、該収容袋の入口から該収容袋内に海水を送給するポンプと、海上にある船等の浮揚施設から上記収容袋及びポンプを係留し該収容袋及びポンプを引き上げるための索体とを備えた構成としている。
【０００５】
これにより、深層海水の取水を行なうときは、沖合いの海上において、予め収容袋から空気を良く抜いておき、この収容袋をポンプとともに索体に係留して海中の例えば２００ｍ以下の深層に沈める。この状態で、ポンプを駆動する。これにより、ポンプによって海水が収容袋内に送給され、海水が充填されていく。
海水の収容が終わったならば、ポンプを停止し索体により収容袋を引き上げる。そして、収容袋内の海水を取り出す。
そのため、従来のように海中に沈める耐圧性のパイプラインや吸引能力の高いポンプを用いなくても、容易に深層海水を取水することができ、そのため、装置を大型にすることなく簡易な構造にして容易に取水でき、汎用性を大幅に向上させることができる。
【０００６】
そして、深層海水の取水装置において、必要に応じ、上記収容袋とポンプとを脱着可能にした構成としている。収容袋を複数用意しておけば、沖合いで海水を収容した収容袋をポンプから外して船に係留し、沿岸近傍に搬送して陸上から海水を取り出すことができ、それだけ、海上での作業や搬送が容易になる。
また、必要に応じ、上記収容袋に内部の海水を取り出すための開閉可能な出口部を設けた構成としている。収容袋を引き上げて浮揚施設において出口部から収容袋内の海水を取り出すことができ、そのため、海上での海水の取水が容易になる。
【０００７】
【発明の実施の形態】
以下、添付図面に基づいて、本発明の実施の形態に係る深層海水の取水方法及び取水装置について詳細に説明する。尚、本発明の実施の形態に係る深層海水の取水方法は、本発明の実施の形態に係る深層海水の取水装置を用いて実現されるので、実施の形態に係る深層海水の取水装置の作用の説明で説明する。
図１及び図２には、本発明の第一の実施の形態に係る深層海水の取水装置Ｓを示している。
この第一の実施の形態に係る深層海水の取水装置Ｓは海上にある浮揚施設としての船Ｆに搭載されている。この取水装置Ｓにおいて、１は海中に沈められて入口２から海水が収容される可撓性の収容袋、１０は収容袋１の入口２から収容袋１内に海水を送給するポンプ、２０は船Ｆから収容袋１及びポンプ１０を係留しこの収容袋１及びポンプ１０を引き上げるための索体である。
【０００８】
収容袋１は、図２に示すように、例えば、樹脂シートを袋状にして形成され、例えば、５トン〜１０トン程度の海水を収容できる大きさに形成されている。収容袋１の入口２にはポンプ１０が取付けられる口金３が設けられている。また、この口金３は、図示外の閉塞手段によって閉塞可能になっている。４は入口２の外側に設けられ、図３（ｄ），図４及び図５に示すように、船Ｆに係留しておくためのロープ５の取付け片である。
ポンプ１０は、吸入口１２及び吐出口１３を有したベーン型，軸流型等適宜の型式で構成されたポンプ本体１１と、ポンプ本体１１を駆動する電動モータ１４とから構成されている。ポンプ本体１１の吐出口１３は、収容袋１の入口２に設けた口金３に対して着脱可能に取付けられている。１５は電動モータ１４の電気を供給するコードであり、索体２０に沿って設けられている。
索体２０は、ロープやワイヤ等で構成され、その一端はポンプ本体１１に取付けられ、他端側は、船Ｆに搭載した巻取ウインチ２１に巻取可能に設けられている。
【０００９】
従って、この実施の形態に係る深層海水の取水装置Ｓを使用して深層海水の取水を行なうときは、先ず、図３（ａ）に示すように、沖合いの海上において、予め収容袋１から空気を良く抜いておき、この収容袋１をポンプ１０とともに索体２０に係留して海中の例えば２００ｍ以下の深層に沈める。
この状態で、図３（ｂ）に示すように、ポンプ１０を駆動する。これにより、ポンプ１０によって海水が収容袋１内に送給され、海水が充填されていく。
海水の収容が終わったならば、図３（ｃ）に示すように、ポンプ１０を停止し、ウインチ２１を駆動して索体２０を巻取り、収容袋１を引き上げる。そして、船Ｆの近傍で、船Ｆから直接あるいは潜水夫を介して、ポンプ１０を収容袋１の口金３から外し、口金３を閉塞手段によって閉塞する。
そして、図３（ｄ）及び図４に示すように、取付け片４にロープ５を結着して収容袋１を船Ｆに係留する。
【００１０】
次に、図３（ｄ）に示すように、新たな収容袋１をポンプ１０に取付け、上記と同様に収容袋１をポンプ１０とともに海中に沈め、ポンプ１０によって収容袋１内に海水を送給して収容し、その後、収容袋１を引き上げ、収容袋１を外して船Ｆに係留する。この作業を繰り返し行ない、図４に示すように、例えば、数個あるいは十数個の海水が収容された収容袋１を係留できたならば、沿岸に搬送し、例えば、図５に示すように、陸上施設から図示外の吸引ポンプに接続されたホース２５を収容袋１の入口２に接続して収容袋１内の海水を取り出して海水を取水する。このため、沿岸近傍に搬送して陸上から海水を取り出すことができ、それだけ、海上での作業や搬送が容易になる。
尚、この収容袋１内の海水を取り出す作業は、海上において、船Ｆで行なっても良い。
この場合、従来のように海中に沈める耐圧性のパイプラインや吸引能力の高いポンプを用いなくても、容易に深層海水を取水することができ、そのため、装置を大型にすることなく簡易な構造にして容易に取水でき、汎用性を大幅に向上させることができる。
【００１１】
図６及び図７には、本発明の第二の実施の形態に係る深層海水の取水装置Ｓを示している。
この第二の実施の形態に係る深層海水の取水装置Ｓは海上にある浮揚施設としての船Ｆに搭載されている。この取水装置Ｓにおいて、１は海中に沈められて入口２から海水が収容される可撓性の収容袋、１０は収容袋１の入口２から収容袋１内に海水を送給するポンプ、２０は船Ｆから収容袋１及びポンプ１０を係留しこの収容袋１及びポンプ１０を引き上げるための索体である。
【００１２】
収容袋１は、例えば、樹脂シートを袋状にして形成され、例えば、５トン〜１０トン程度の海水を収容できる大きさに形成されている。収容袋１の入口２にはポンプ１０が取付けられる口金３が設けられている、６は収容袋１に設けられ内部の海水を取り出すための開閉可能な出口部である。出口部６は可撓性筒状に形成され、紐７等で縛られて閉じられる。８は出口部６の外側に設けられ、船Ｆに係留しておくためのロープ５の取付け片である。
ポンプ１０は、吸入口１２及び吐出口１３を有したベーン型，軸流型等適宜の型式で構成されたポンプ本体１１と、ポンプ本体１１を駆動する電動モータ１４とから構成されている。ポンプ本体１１の吐出口１３は、収容袋１の入口２に設けた口金３に取付けられている。１５は電動モータ１４の電気を供給するコードであり、索体２０に沿って設けられている。
索体２０は、ロープやワイヤ等で構成され、その一端はポンプ本体１１に取付けられ、他端側は、船Ｆに搭載した巻取ウインチに巻取可能に設けられている。
【００１３】
従って、この実施の形態に係る深層海水の取水装置Ｓを使用して深層海水の取水を行なうときは、上記と同様に、沖合いの海上において、予め収容袋１から空気を良く抜いておき、この収容袋１をポンプ１０とともに索体２０に係留して海中の例えば２００ｍ以下の深層に沈める。この状態で、ポンプ１０を駆動する。これにより、ポンプ１０によって海水が収容袋１内に送給され、海水が充填されていく。
海水の収容が終わったならば、ポンプ１０を停止し、ウインチを駆動して索体２０を巻取り、収容袋１を引き上げる。そして、船Ｆの近傍で、図７に示すように、収容袋１の出口部６の取付け片８にロープ５を結着して収容袋１を船Ｆに係留する。この状態で、出口部６の紐７をほどき、出口部６を開放し、吸引ポンプ（図示せず）に接続されたホース２５をこの出口部６から挿入して収容袋１内の海水を取り出す。この場合、船Ｆにおいて出口部６から収容袋１内の海水を取り出すことができ、そのため、逐一ポンプ１０を外さなくても取水できるので、海上での海水の取水が容易になる。
次に、出口部６を紐７で閉じ、上記と同様に再び収容袋１をポンプ１０とともに海中に沈め、ポンプ１０によって収容袋１内に海水を送給して収容し、その後、収容袋１を引き上げ、収容袋１内の海水を取り出す。この作業を繰り返し行ない取水する。
この場合においても、従来のように海中に沈める耐圧性のパイプラインや吸引能力の高いポンプを用いなくても、容易に深層海水を取水することができ、そのため、装置を大型にすることなく簡易な構造にして容易に取水でき、汎用性を大幅に向上させることができる。
【００１４】
尚、上記実施の形態において、収容袋１の大きさは上記に限定されるものではなく、適宜変更して差支えない。また、収容袋１からの海水の取り出し方も上記に限定されるものではなく、例えば、ポンプ１０を逆転させて取り出すようにする等、適宜変更して差支えない。更に、浮揚施設も上記の船Ｆに限定されず、どのようなタイプのものでも良い。更にまた、海中の取水深さも、４００ｍ，５００ｍ等適宜に定めて良いことは勿論である。
【００１５】
【発明の効果】
以上説明したように、本発明の深層海水の取水方法及び取水装置によれば、収容袋及びポンプを海中に沈め、ポンプによって収容袋内に海水を送給して収容し、その後、収容袋を引き上げ、収容袋内の海水を取り出すので、従来のように海中に沈める耐圧性のパイプラインや吸引能力の高いポンプを用いなくても、また、陸上からパイプライン施設を設置することをしなくても良く、容易に深層海水を取水することができ、そのため、装置を大型にすることなく簡易な構造にして容易に取水でき、設備費を大幅に安くすることができるとともに、汎用性を大幅に向上させることができる。
また、取水装置において、収容袋とポンプとを脱着可能にした場合には、収容袋を複数用意しておけば、沖合いで海水を収容した収容袋をポンプから外して船に係留し、沿岸近傍に搬送して陸上から海水を取り出すことができ、それだけ、海上での作業や搬送が容易になる。
更に、収容袋に内部の海水を取り出すための開閉可能な出口部を設けた場合には、収容袋を引き上げて浮揚施設において出口部から収容袋内の海水を取り出すことができ、そのため、海上での海水の取水が容易になる。
【図面の簡単な説明】
【図１】本発明の第一の実施の形態に係る深層海水の取水装置をその使用状態で示す図である。
【図２】本発明の第一の実施の形態に係る深層海水の取水装置を示す要部図である。
【図３】本発明の第一の実施の形態に係る深層海水の取水装置により、海水を取水する工程を示す図である。
【図４】本発明の第一の実施の形態に係る深層海水の取水装置により、海水を取水する工程を示す図であり、船に海水を収容した収容袋を複数係留した状態を示す図である。
【図５】本発明の第一の実施の形態に係る深層海水の取水装置により、海水を取水する工程を示す図であり、海水を収容した収容袋から海水を取り出す状態を示す図である。
【図６】本発明の第二の実施の形態に係る深層海水の取水装置を示す要部図である。
【図７】本発明の第二の実施の形態に係る深層海水の取水装置により海水を収容した収容袋から海水を取り出す状態を示す図である。
【符号の説明】
Ｓ  取水装置
Ｆ  船（浮揚施設）
１  収容袋
２  入口
３  口金
４  取付け片
５  ロープ
６  出口部
７  紐
８  取付け片
１０  ポンプ
１１  ポンプ本体
１２  吸入口
１３  吐出口
１４  電動モータ
１５  コード
２０  索体
２１  ウインチ
２５  ホース
【図１】
0003628283.tif 000002
【図２】
0003628283.tif 000003
【図３】
0003628283.tif 000004
【図４】
0003628283.tif 000005
【図５】
0003628283.tif 000006
【図６】
0003628283.tif 000007
【図７】
0003628283.tif 000008